(57)【要約】【課題】動画シーンを記述した補助データをメディア再生の根拠とすることで、所望の動画シーンセグメントメディアをピップアップするとともに再生するメディアの動画シーン再生システムおよび方法を提供すること。【解決手段】本発明はメディアの動画シーン再生システム、方法およびその記録メディアを開示している。このシステムはメディア提供モジュールと、入力モジュールと、メディアピックアップモジュールとを備えている。メディア提供モジュールは、メディアデータおよびその対応する動画シーン記述情報を提供するためのものである。入力モジュールは案内データを入力するためのものである。メディアピックアップモジュールは案内データと取得した動画シーン記述情報とを比較して、案内データに一致する少なくとも一つの動画シーン区間を探し出し、メディアデータ中から動画シーン区間が対応する少なくとも一つの動画シーンセグメントメディアをピックアップするとともに再生を行う。【選択図】図７
2014064263.tif 000002
【特許請求の範囲】
【請求項１】
メディアデータおよびその対応する動画シーン記述情報を提供するためのメディア提供モジュールと、
案内データを入力するための入力モジュールと、
前記案内データと各々の前記動画シーン記述情報とを比較して、前記案内データに一致する少なくとも一つの動画シーン区間を取得することで、前記メディアデータ中から前記少なくとも一つの動画シーン区間が対応する少なくとも一つの動画シーンセグメントメディアをピックアップするとともに再生を行うためのメディアピックアップモジュールと、を備えたことを特徴とする、
メディアの動画シーン再生システム。
【請求項２】
前記動画シーン記述情報には複数の動画シーン再生時間が含まれており、前記案内データには一つ以上の要求時間点が含まれており、前記メディアピックアップモジュールが前記少なくとも一つの要求時間点と前記複数の動画シーン再生時間とが一致すると、前記少なくとも一つの動画シーン区間を取得することを特徴とする請求項１に記載のメディアの動画シーン再生システム。
【請求項３】
前記動画シーン記述情報には複数の動画シーン記述説明とその対応する再生時間とが含まれており、前記案内データには少なくとも一つの動画シーン指定情報が含まれており、前記メディアピックアップモジュールは前記少なくとも一つの動画シーン指定情報と前記複数の動画シーン記述説明とが一致することで、前記複数の再生時間中から前記少なくとも一つの動画シーン区間を取得することを特徴とする請求項１に記載のメディアの動画シーン再生システム。
【請求項４】
前記メディアピックアップモジュールは前記少なくとも一つの動画シーン区間に基づいて、前記メディアデータから複数のメディアフレームをピックアップして、さらに前記複数のメディアフレームを組み合わせて前記少なくとも一つの動画シーンセグメントメディアを形成することを特徴とする請求項１に記載のメディアの動画シーン再生システム。
【請求項５】
前記メディア提供モジュールは、外部から伝送された前記メディアデータおよびその対応する前記動画シーン記述情報を受信して、前記メディアピックアップモジュールに提供するためのデータ受信ユニットを備えていることを特徴とする請求項１に記載のメディアの動画シーン再生システム。
【請求項６】
前記メディア提供モジュールは、前記メディアデータおよびその対応する前記動画シーン記述情報を記憶するためのデータベースを備えていることを特徴とする請求項１に記載のメディアの動画シーン再生システム。
【請求項７】
前記メディア提供モジュールに接続されている動画シーンサーバ装置をさらに備えており、前記メディア提供モジュールが前記メディアを提供するとき、前記動画シーンサーバ装置から前記メディアデータが対応する動画シーン記述情報を取得して、前記動画シーン記述情報を前記メディアピックアップモジュールに提供することを特徴とする請求項１に記載のメディアの動画シーン再生システム。
【請求項８】
記憶モジュールをさらに備えており、前記メディアピックアップモジュールが前記記憶モジュールから前記案内データに対応する動画シーン記述情報リストを取得して、前記動画シーン記述情報リストから前記少なくとも一つの動画シーン区間を取得するとともに、前記少なくとも一つの動画シーン区間に対応する前記少なくとも一つの動画シーンセグメントメディアを取得することを特徴とする請求項１に記載のメディアの動画シーン再生システム。
【請求項９】
前記メディア提供モジュールに接続されている動画シーンサーバ装置をさらに備えており、前記メディアピックアップモジュールが前記動画シーンサーバ装置から前記案内データに対応する動画シーン記述情報リストを取得して、前記動画シーン記述情報リストから前記少なくとも一つの動画シーン区間を取得するとともに、前記少なくとも一つの動画シーン区間に対応する前記少なくとも一つの動画シーンセグメントメディアを取得することを特徴とする請求項１に記載のメディアの動画シーン再生システム。
【請求項１０】
前記案内データには少なくとも一つのピックアップ要求条件が含まれており、前記メディアピックアップモジュールは各々の前記ピックアップ要求条件のデータの依存関係性、データ属性の種別に基づいて、各々の前記ピックアップ要求条件が対応する各々の前記動画シーンセグメントメディアをメディア再生ツリー構造として構成することを特徴とする請求項１に記載のメディアの動画シーン再生システム。
【請求項１１】
前記メディアピックアップモジュールは前記メディア再生ツリー構造から同一、相違または一部が同一および一部が異なる階層の前記少なくとも一つの動画シーンセグメントメディアをピックアップすることを特徴とする請求項１０に記載のメディアの動画シーン再生システム。
【請求項１２】
前記案内データにはメディア分割モードがさらに含まれており、前記メディアピックアップモジュールは前記メディア分割モードに基づいて前記メディアデータを分割するとともに、前記動画シーン区間に基づいて対応する前記少なくとも一つの動画シーンセグメントメディアを取り出すことを特徴とする請求項１に記載のメディアの動画シーン再生システム。
【請求項１３】
メディア提供モジュールを通じてメディアデータおよびその対応する動画シーン記述情報を提供するステップと、
メディアピックアップモジュールにより案内データに基づいて各々の前記動画シーン記述情報を比較して、前記案内データに一致する少なくとも一つの動画シーン区間を探し出すステップと、
前記メディアピックアップモジュールにより前記メディアデータ中から前記少なくとも一つの動画シーン区間をピックアップするとともに再生するステップと、を含むことを特徴とする、
メディアの動画シーン再生方法。
【請求項１４】
前記動画シーン記述情報には複数の動画シーン再生時間が含まれており、前記案内データには一つ以上の要求時間点が含まれており、メディアピックアップモジュールにより案内データに基づいて各々の前記動画シーン記述情報を比較して、前記案内データに一致する少なくとも一つの動画シーン区間を探し出す前記ステップが、前記メディアピックアップモジュールにより前記少なくとも一つの要求時間点と前記複数の動画シーン再生時間とが一致すると、前記少なくとも一つの動画シーン区間を取得することを含むことを特徴とする請求項１３に記載のメディアの動画シーン再生方法。
【請求項１５】
前記動画シーン記述情報には複数の動画シーン記述説明とその対応する再生時間とが含まれており、前記案内データには少なくとも一つの動画シーン指定情報が含まれており、メディアピックアップモジュールにより案内データに基づいて各々の前記動画シーン記述情報を比較して、前記案内データに一致する少なくとも一つの動画シーン区間を探し出す前記ステップが、前記メディアピックアップモジュールにより前記少なくとも一つの動画シーン指定情報と前記複数の動画シーン記述説明とが一致することで、前記複数の再生時間中から前記少なくとも一つの動画シーン区間を取得することを含むことを特徴とする請求項１３に記載のメディアの動画シーン再生方法。
【請求項１６】
メディアピックアップモジュールにより案内データに基づいて各々の前記動画シーン記述情報を比較して、前記案内データに一致する少なくとも一つの動画シーン区間を探し出す前記ステップが、前記メディアピックアップモジュールにより前記記憶モジュールから前記案内データに対応し記憶モジュール中に記憶されている動画シーン記述情報リストを取得して、前記動画シーン記述情報リストから前記少なくとも一つの動画シーン区間を取得するものであり、前記動画シーン記述説明リストは記憶モジュール中に記憶されており、前記メディアピックアップモジュールにより前記メディアデータから前記少なくとも一つの動画シーン区間に対応する前記少なくとも一つの動画シーンセグメントメディアを取得することを含むことを特徴とする請求項１３に記載のメディアの動画シーン再生方法。
【請求項１７】
メディアピックアップモジュールにより案内データに基づいて各々の前記動画シーン記述情報を比較して、前記案内データに一致する少なくとも一つの動画シーン区間を探し出す前記ステップが、前記メディアピックアップモジュールにより前記動画シーンサーバ装置から前記案内データに対応する動画シーン記述説明リストを取得して、前記動画シーン記述説明リストから前記少なくとも一つの動画シーン区間を取得するものであり、前記動画シーン記述説明リストは前記ピックアップモジュールに接続されている動画シーンサーバ装置中に記憶されており、前記メディアピックアップモジュールにより前記メディアデータから前記少なくとも一つの動画シーン区間に対応する前記少なくとも一つの動画シーンセグメントメディアを取得することを含むことを特徴とする請求項１３に記載のメディアの動画シーン再生方法。
【請求項１８】
前記案内データには少なくとも一つのピックアップ要求条件が含まれており、前記メディアピックアップモジュールにより各々の前記ピックアップ要求条件のデータの依存関係性、データ属性の種別に基づいて、各々の前記ピックアップ要求条件が対応する各々の前記目標メディアフレームをメディア再生ツリー構造として構成することをさらに含むことを特徴とする請求項１３に記載のメディアの動画シーン再生方法。
【請求項１９】
前記メディアピックアップモジュールは前記メディア再生ツリー構造から同一、相違または一部が同一および一部が異なる階層の前記少なくとも一つの動画シーンセグメントメディアをピックアップすることを特徴とする請求項１８に記載のメディアの動画シーン再生方法。
【請求項２０】
電子装置で読み取り可能なソースコードを記憶し、電子装置が前記ソースコードを読み取るときには、メディアの動画シーン再生方法を実行する記録メディアであって、前記方法は、
メディア提供モジュールを通じてメディアデータおよびその対応する動画シーン記述情報を提供するステップと、
メディアピックアップモジュールにより案内データに基づいて各々の前記動画シーン記述情報を比較して、前記案内データに一致する少なくとも一つの動画シーン区間を探し出すステップと、
前記メディアピックアップモジュールにより前記メディアデータ中から前記少なくとも一つの動画シーン区間が対応する少なくとも一つの動画シーンセグメントメディアをピックアップするステップと、を含むことを特徴とする、
記録メディア。
【発明の詳細な説明】
【技術分野】
【０００１】
本発明はメディアピックアップシステムおよび方法に関し、特に動画シーン記述情報により、所望のメディアフレームを取り出すメディアピックアップシステムおよび方法に関する。
【背景技術】
【０００２】
従来技術において、メディアデータの多くが採用しているのは直線的な再生方式である。動画再生ソフトウェアはメディアデータ再生に対応する時間軸を提供しており、使用者は時間軸の位置をクリックするか、または時間軸上のスライダをドラッグして、動画再生の再生部分を決定することができる。
【発明の概要】
【発明が解決しようとする課題】
【０００３】
しかし、スライダをドラッグする精度が時間軸の長さを決めるが、スライダをドラッグする精度はまた所望動画の時間点の位置決め精度にも影響する。一般的に言えば、時間軸が長くなるほど、スライダをドラッグする精度も高くなる。よって、使用者がもしメディアデータ中からピンポイント的に画像または音声を取得したい場合には、時間軸の調節作業を手動で行って、スライダを所望画像の時点に位置決めして、所望の動画を再生する必要がある。
【０００４】
上記課題を解決するために、本発明では動画シーンを記述した補助データをメディア再生の根拠とすることで、所望の動画シーンセグメントメディアをピップアップするとともに再生するメディアの動画シーン再生システムおよび方法を開示する。
【課題を解決するための手段】
【０００５】
本発明が開示するメディアの動画シーン再生システムは、メディア提供モジュールと、入力モジュールと、メディアピックアップモジュールとを備えている。
【０００６】
このメディア提供モジュールは、メディアデータおよびその対応する動画シーン記述情報を提供するためのものである。入力モジュールは案内データを入力するためのものである。メディアピックアップモジュールは案内データと各々の動画シーン記述情報とを比較して、案内データに一致する少なくとも一つの動画シーン区間を取得することで、メディアデータ中から前記少なくとも一つの動画シーン区間が対応する少なくとも一つの動画シーンセグメントメディアをピックアップするとともに再生を行うためのものである。
【０００７】
本発明が開示するメディアの動画シーン再生方法は、メディア提供モジュールを通じてメディアデータおよびその対応する少なくとも一つの動画シーン記述情報を提供し、続いてメディアピックアップモジュールにより案内データに基づいて各々の動画シーン記述情報を比較して、案内データに一致する少なくとも一つの目標動画シーン記述情報を探し出し、さらにメディアピックアップモジュールによりメディアデータ中から目標動画シーン記述情報が対応する目標メディアフレームをピックアップする。
【０００８】
また、本発明では、電子装置で読み取り可能なソースコードを記憶する記録メディアも開示している。電子装置が前記ソースコードを読み取るときには、メディアの動画シーン再生方法を実行する。この方法はすでに上記している。
【発明の効果】
【０００９】
本発明ではピンポイント的にメディアフレームをピックアップすることにより、使用者は短時間で所望の動画シーンを探し出すことになる。
次に、ピンポイント的にメディアフレームをピックアップすることにより、使用者によるメディアデータの調節操作は時間軸の長さに制限されることなく、また所望のメディアデータを取得する精度も向上して、使用者がスライダを所望のポイントにまでドラッグするのが難しくなるという操作上での面倒を回避することができる。
第三に、ピンポイント的にメディアフレームをピックアップすることにより、使用者は所望のメディアフレームを一括的に取得して、自作のメディアを形成でき、使用者の需要に適したメディア操作性をカスタマイズするのみならず、使用者の操作上での煩雑さを減少させることができる。
【図面の簡単な説明】
【００１０】
【図１】本発明の実施例におけるメディアの動画シーン再生システム。
【図２】本発明の実施例におけるメディアの動画シーン再生システムの第１の種類の細部構造概略図。
【図３】本発明の実施例におけるメディアの動画シーン再生システムの第２の種類の細部構造概略図。
【図４】本発明の実施例におけるメディアの動画シーン再生システムの第３の種類の細部構造概略図。
【図５】本発明の実施例におけるメディアの動画シーン再生システムの第４の種類の細部構造概略図。
【図６】本発明の実施例におけるメディアの動画シーン再生システムの第５の種類の細部構造概略図。
【図７】本発明の実施例におけるメディアの動画シーン再生方法の概略的なフローチャート。
【図８】本発明の実施例におけるメディアの動画シーン再生方法の概略的な細部フローチャート。
【図９】本発明の実施例におけるメディアの動画シーン再生方法の概略的な細部フローチャート。
【図１０】本発明の実施例におけるメディアの動画シーン再生方法の概略的な細部フローチャート。
【図１１】本発明の実施例におけるメディアの動画シーン再生方法の概略的な細部フローチャート。
【図１２】本発明の実施例におけるメディアの動画シーン再生方法の概略的な細部フローチャート。
【図１３】本発明の実施例におけるメディア階層の概略図。
【図１４】本発明の実施例における動画シーン記述情報とメディアフレームとの対照関係の概略図。
【図１５】本発明の実施例における動画シーン記述情報とメディアフレームとの対照関係の他の概略図。
【図１６】本発明の実施例におけるメディア再生ツリー構造の概略図。
【発明を実施するための形態】
【００１１】
図面と合わせて、本発明の好ましい実施例を以下の通り詳細に説明する。
【００１２】
まず、図１である本発明の実施例におけるメディアの動画シーン再生システムを参照する。このシステムはメディア再生機能を備えた装置、設備またはシステムに応用することができ、配置の形態には制限はない。このメディアの動画シーン再生システムはメディア提供モジュール１０ａと、入力モジュール２０と、メディアピックアップモジュール３０とを備えている。
【００１３】
メディア提供モジュール１０ａはメディアデータ４１およびメディアデータ４１に対応する一つ以上の動画シーン記述情報４２（ｓｃｅｎｅ  ｄｅｓｃｒｉｐｔｉｏｎ）を提供するためのものである。このメディア提供モジュール１０ａはメディア供給機能を備えたハードウェア、またはソフトウェアとハードウェアとを結合したユニット、アセンブリ、装置、設備およびシステムなどの少なくとも一種類以上の形態の組み合わせを意味する。
【００１４】
動画シーン記述情報４２はメディアデータ４１またはそれにさらに含まれるメディアフレーム４１１に対して解説する解説データであり、例えばメディアデータ４１の再生内容の要約、再生時間、タイトルなど動画シーンに対するさらに詳しい解説のデータである。
【００１５】
入力モジュール２０は使用者が案内データ５１（Ｎａｖｉｇａｔｉｏｎ  Ｄａｔａ）を入力するためのものであり、使用者がデータを入力するのに供されるデータ入力インターフェイスであり、このインターフェイスの実現形態は設計者の需要に応じて決定するものであり、限定はない。
【００１６】
メディアデータ４１は内容の異なる複数のメディアフレーム４１１を含んでおり、例えばメディアデータ４１が画像データ（Ｉｍａｇｅ  Ｄａｔａ）である場合、画像データは目標、シーン、人物などの一種類以上の内容を有する画像フレーム（Ｉｍａｇｅ  Ｆｌａｍｅ）となる。
また例えばメディアデータ４１が音声データ（Ｖｏｉｃｅ  Ｄａｔａ）である場合、音声データは高音、低音、談話音声、音楽音声などの一種類以上の内容を有する音声フレーム（Ｖｏｉｃｅ  Ｆｌａｍｅ）となる。
【００１７】
案内データ５１は使用者がメディアデータ４１中からピックアップしたい特定の動画シーン区間（ｓｃｅｎｅ  ｉｎｔｅｒｖａｌ）であり、使用者が入力するピックアップ要求条件５１１である。
例えばメディアデータ４１がバスケットボールの試合の録画映像である場合、使用者は好みの選手の得点場面、または試合時のすべての選手のスリーポイントラインショットの得点場面、または好みの選手のスリーポイントラインショットの得点場面などの類のピックアップ要求条件５１１を入力する。
また例えば、メディアデータ４１がミュージカルの類の音楽データである場合、使用者はミュージカルのプリマドンナの歌唱、または音楽演奏のみなどの類のピックアップ要求条件５１１を入力する。
【００１８】
メディアピックアップモジュール３０はソフトウェア、ハードウェアまたはソフトウェアとハードウェアの組み合わせからなり、例えば演算処理装置（Ｐｒｏｃｅｓｓｏｒ）で実行されるアプリケーションソフト（Ａｐｐｌｉｃａｔｉｏｎ  Ｓｏｆｔ）、チップ（Ｃｈｉｐ）、集積回路（Ｉｎｔｅｇｒａｔｅｄ  Ｃｉｒｃｕｉｔ、ＩＣ）、またはさらにチップまたは集積回路と協働するファームウェアとされるが、これに限定されず、設計者の需要に応じて決定する。
【００１９】
このメディアピックアップモジュール３０はメディア提供モジュール１０ａが提供するメディアデータ４１および動画シーン記述情報４２を取得し、入力モジュール２０から案内データ５１を取得する。
メディアピックアップモジュール３０は案内データ５１のピックアップ要求条件５１１と各々の動画シーン記述情報４２とを比較して、案内データに一致する一つ以上の動画シーン区間４２１を取得して、さらに取得したメディアデータ４１中から動画シーン区間４２１が対応するすべての動画シーンセグメントメディア４３を取り出す。
以下の説明は例示であり、動画シーン区間４２１の取得方式はこれに限定されない。
【００２０】
（１）動画シーン記述情報４２には複数の動画シーン再生時間が記載されており、案内データ５１のピックアップ要求条件５１１には一つ以上の要求時間点が含まれている。メディアピックアップモジュール３０はこれら要求時間点と動画シーン再生時間とが一致すると、要求に符合する動画シーン区間４２１を取得する。
【００２１】
（２）動画シーン記述情報４２には複数の動画シーン記述説明と各々の動画シーン記述説明の対応再生時間とが含まれている。案内データ５１のピックアップ要求条件５１１には一つ以上の動画シーン指定情報が含まれている。動画シーン指定情報は使用者が求める動画シーンの説明を意味する。メディアピックアップモジュール３０は各々の動画シーン指定情報と動画シーン記述説明とが一致することで、すべての再生時間中から所望の動画シーン区間４２１を取得する。
【００２２】
しかしながら、案内データ５１に含まれるピックアップ要求条件５１１は上記した二種類にとどまらず、異なる多種類のピックアップ要求条件５１１を含んでもよい。メディアピックアップモジュール３０はピックアップ要求条件５１１に基づいて、メディアデータ４１から複数の区間の動画シーンセグメントメディア４３を取り出す。ここで、メディアピックアップモジュール３０は直接メディアデータ４１を画像・音声クリップとしてピックアップするか、またはメディアデータ４１中から動画シーン区間４２１が対応するメディアフレーム４１１をピックアップして、さらにメディアフレームを組み合わせて動画シーンセグメントメディア４３として合成することができる。
【００２３】
メディアピックアップモジュール３０は再生順序、メディアフレーム４１１、動画シーンセグメントメディア４３のメディアデータ４１における再生時間、ピックアップ要求条件５１１の前後順序など類似した規則に基づいて、ピックアップされた各々の動画シーンセグメントメディア４３から一つまたは複数の自作のメディアを作成することができる。または、さらに細かく、各々のピックアップ要求条件５１１のデータの依存関係性、またはデータ属性の種別に基づいて、メディア再生ツリー構造を構成することもできる。
しかしながら、入力モジュール２０のインターフェイスもまたメディア再生ツリー構造の入力欄として実現することができるので、使用者は各々のピックアップ要求条件５１１のデータの依存関係性、またはデータ属性の種別に基づいて、各々のピックアップ要求条件５１１を各欄中に入力するだけで、メディアピックアップモジュール３０をメディアフレーム４１１のピックアップおよび分類の根拠とすることができる。
【００２４】
しかしながら、メディア提供モジュール１０ａも複数のメディアデータ４１を提供するとともに、メディアデータ４１が対応する動画シーン記述情報４２を提供することができるうえ、メディアデータ４１および動画シーン記述情報４２を合わせてメディアピックアップモジュール３０に提供することができる。
使用者が入力モジュール２０を用いて案内データ５１を入力したとき、各々のメディアデータ４１に対して異なるピックアップ要求条件５１１を設定するか、またはすべてのメディアデータ４１に対してピックアップ要求条件５１１を設定することができるが、これは使用者の需要に応じて決定することができる。メディアピックアップモジュール３０は案内データ５１に基づいて関連する動画シーン記述情報４２を比較することで、動画シーン区間４２１を探し出して、さらに動画シーン区間４２１に基づいて各々のメディアデータ４１中から動画シーンセグメントメディア４３をピックアップする。
【００２５】
その後、メディアピックアップモジュール３０は動画シーンセグメントメディア４３として設計され得るものであり、場合によっては、前記した動画シーンセグメントメディア４３からなるメディアフレーム４１１のグループを、使用者の需要に一致する再生メディアとして構成することができる。
【００２６】
しかしながら、動画シーンセグメントメディア４３、メディアフレーム４１１のグループ、動画シーン区間４２１、メディア再生ツリー構造、再生メディアなどのピックアップ結果は、次回のメディアピックアップモジュール３０のピックアップ作業時の使用に供されるべくメディアピックアップモジュール３０により記憶モジュール８０（図５に示す）中に記憶されてもよい。さらには、メディアピックアップ作業を通じて構成された再生メディアは、システムの再生モジュールにより直接取得し再生する。
【００２７】
本発明の実施例におけるメディアの動画シーン再生システムの第１の種類の細部構造概略図を示す図２を参照する。この例において、メディア提供モジュール１０ｂはデータ受信ユニット１１とデータ処理ユニット１２とを備えている。
データ受信ユニット１１自体にはメディアデータ４１および動画シーン記述情報４２は記憶されておらず、外部装置６０に接続するか、またはネットワークを通じてメディアデータ４１および動画シーン記述情報４２を取得するとともに、取得したメディアデータ４１および動画シーン記述情報４２をメディアピックアップモジュール３０に提供する。このうち、取得したメディアデータ４１はストリームメディア（Ｓｔｒｅａｍ  Ｍｅｄｉａ）または全体的な画像・音声データとしてもよい。
【００２８】
メディアデータ４１がストリームメディアである場合、データ処理ユニット１２は受信したメディアフレーム４１１またはメディアクリップを直接メディアピックアップモジュール３０に伝送して、これをピックアップ済みのデータに基づいてメディアピックアップ作業を行う。
もしメディアデータ４１が全体的な画像・音声データである場合には、データ処理ユニット１２は受信したクリップデータをキャッシュユニット１３中に記憶して、メディアデータ４１の受信が完了した後、さらにメディアデータ４１をメディアピックアップモジュール３０に提供する。
【００２９】
本発明の実施例におけるメディアの動画シーン再生システムの第２の種類の細部構造概略図を示す図３を参照する。図２と異なるのは、メディア提供モジュール１０ｃがデータベースモジュールであって、データベース１４とデータ処理ユニット１２とを備えているところである。
データベース１４はメディアデータ４１および動画シーン記述情報４２を記憶するためのものである。使用者が入力モジュール２０により、またはシステムに関連する操作インターフェイス（図示しない）によりメディアデータ４１を指定したとき、データ処理ユニット１２はデータベース１４中から、使用者が指定したメディアデータ４１およびそれに対応する動画シーン記述情報４２を取得するとともに、これをメディアピックアップモジュール３０に提供する。
【００３０】
本発明の実施例におけるメディアの動画シーン再生システムの第３の種類の細部構造概略図を示す図４を参照する。前記実施例と異なるのは、メディア提供モジュール１０ｄに動画シーンサーバ装置７０が接続されているところである。
この動画シーンサーバ装置７０には一つまたは複数の動画シーン記述情報４２が記憶されている。メディア提供手段１０がメディアデータ４１を提供するとき、動画シーンサーバ装置７０からメディアデータ４１に対応するすべての動画シーン記述情報４２を取得するとともに、メディアデータ４１およびその対応する動画シーン記述情報４２をメディアピックアップモジュール３０に提供する。
【００３１】
本発明の実施例におけるメディアの動画シーン再生システムの第４の種類の細部構造概略図を示す図５を参照する。前記実施例と異なるのは、システムが記憶モジュール８０をさらに備えているところである。
【００３２】
この記憶モジュール８０には一つ以上の動画シーン記述情報リスト４４を記憶しており、動画シーン記述情報リスト４４はピックアップ作業の後、特定の案内データ５１に対応する動画シーン記述情報４２のグループを記録する。さらに、動画シーン記述情報リスト４４には動画シーンセグメントメディア４３の再生順序も記録し、そして前記したメディア再生ツリー構造中にて、案内データ５１のツリー構造中に属する階層およびポイントを記録する。
【００３３】
メディアピックアップモジュール３０が案内データ５１を取得したとき、案内データ５１に含まれるピックアップ要求条件５１１と記憶モジュール８０のすべての動画シーン記述情報４２とを比較して、目標リストを取り出す。この目標リストに含まれる動画シーン記述情報４２は前記した目標の動画シーン記述情報４２でもある。
この後、メディアピックアップモジュール３０は目標リストに基づいてメディアデータ４１から動画シーンセグメントメディア４３を取り出す。
【００３４】
本発明の実施例におけるメディアの動画シーン再生システムの第５の種類の細部構造概略図を示す図６を参照する。図４および図５と異なるのは、動画シーンサーバ装置７０がメディアピックアップモジュール３０に接続されており、接続方式を有線または無線とすることができるところである。
しかも、動画シーン記述情報リスト４４は動画シーンサーバ装置７０から提供されるものである。この例において、動画シーンサーバ装置７０はサードパーティ装置とすることができる。場合によっては、この動画シーンサーバ装置７０が有する動画シーン記述情報リスト４４は、その他使用者が、本発明で開示するピックアップ技術に関連、類似または等価のソフトウェア、ハードウェアを通じて、同一、または類似したピックアップ作業を実行した後に提供されるものでもよい。
【００３５】
本発明の実施例におけるメディアの動画シーン再生方法の概略的なフローチャートを示す図７を参照するが、図８ないし図１２には本発明の実施例におけるメディアの動画シーン再生方法の細部の概略的なフローチャートを示している。理解しやすくするために、図１ないし図６を手元において参照してもらいたい。
この方法の手順は以下の通りである。
【００３６】
メディア提供手段１０を通じてメディアデータ４１およびこの対応する少なくとも一つの動画シーン記述情報４２を提供する（ステップＳ１１０）。メディアデータ４１および動画シーン記述情報４２の提供方法が異なれば、このステップにおける細部の実行方式も異なる。
【００３７】
図２のように、メディア提供モジュール１０ａは外部装置６０に接続するためのものであり、この外部装置６０はメディアデータ４１および動画シーン記述情報４２を供給するが、メディア提供手段１０はデータを受信し転送するための仲介にしか使用しない。
このステップの細部の実行方式は図８に示す通りであって、メディア提供モジュール１０ａのデータ受信ユニット１１により、外部から伝送されたメディアデータ４１およびその対応する動画シーン記述情報４２を受信する（ステップＳ１１１）。メディア提供モジュール１０ａにより、メディアデータ４１およびその対応する動画シーン記述情報４２をメディアピックアップモジュール３０に提供する（ステップＳ１１９）。
【００３８】
図３のように、メディア提供モジュール１０ｂは、メディアデータ４１および動画シーン記述情報４２を記憶するためのデータベース１４を備えている。
このステップの細部の実行方式は図９に示す通りであって、メディア提供モジュール１０ｂがデータベース１４からメディアデータ４１および動画シーン記述情報４２を取得して（ステップＳ１１２）、メディアデータ４１およびその対応する動画シーン記述情報４２をメディアピックアップモジュール３０に提供する（ステップＳ１１９）。
【００３９】
図４のように、メディア提供モジュール１０ｃには動画シーンサーバ装置７０が接続されている。この動画シーンサーバ装置７０には一つまたは複数の動画シーン記述情報４２が記憶されている。
このステップの細部の実行方式は図１０に示す通りであって、メディア提供モジュール１０ｃがメディアデータ４１を提供するとき、動画シーンサーバ装置７０からメディアデータ４１に対応するすべての動画シーン記述情報４２を取得するとともに（ステップＳ１１３）、メディアデータ４１およびその対応する動画シーン記述情報４２をメディアピックアップモジュール３０に提供する（ステップＳ１１９）。
【００４０】
メディアピックアップモジュール３０により、案内データ５１に基づいて各々の動画シーン記述情報４２を比較して、案内データ５１に一致する少なくとも一つの動画シーン区間４２１を探し出す（ステップＳ１２０）。メディアデータ４１および動画シーン記述情報４２の提供方法が異なれば、このステップの細部の実行方式も異なる。
【００４１】
図５のように、メディアピックアップモジュール３０は記憶モジュール８０が接続されており、その内部には上記したような動画シーン記述情報リスト４４が記憶されている。
このステップの細部の実行方式は図１１に示す通りであって、メディアピックアップモジュール３０により記憶モジュール８０に記憶されている各々の動画シーン記述情報リスト４４中から、案内データ５１の動画シーン記述情報リスト４４を取得する（ステップＳ１２１）。メディアピックアップモジュール３０は動画シーン記述情報リスト４４に基づいて各々の動画シーン記述情報４２中から所望の動画シーン区間４２１を取得する（ステップＳ１２９）。
【００４２】
図６のように、動画シーンサーバ装置７０はメディアピックアップモジュール３０に接続されているものである。
このステップの細部の実行方式は図１２に示す通りであるが、図１１に示す手順と異なるのは、ステップＳ１２２中にて、各々の動画シーン記述情報リスト４４がサードパーティネットワーク装置の動画シーンサーバ装置７０中に記憶されるところである。
【００４３】
メディアピックアップモジュール３０によりメディアデータ４１中から動画シーン区間４２１が対応する少なくとも一つの動画シーンセグメントメディア４３をピックアップする（ステップＳ１３０）。
上記したように、メディアピックアップモジュール３０は案内データ５１のピックアップ要求条件５１１と各々の動画シーン記述情報４２とを比較して、一つ以上の動画シーン区間４２１を取得し、さらに取得したメディアデータ４１中から動画シーン区間４２１の対応するすべての動画シーンセグメントメディア４３をピックアップする。動画シーン区間４２１のピックアップ方式はすでに上記しているため、ここでは別途説明はしない。
【００４４】
しかしながら、案内データ５１に含まれるピックアップ要求条件５１１は一種類のみならず、複数種類の異なるピックアップ要求条件５１１を含んでもよい。メディアピックアップモジュール３０は各々のピックアップ要求条件５１１に基づいて、メディアデータ４１から複数のメディアフレーム４１１グループをピックアップする。
さらには、メディアピックアップモジュール３０は案内データ５１に基づいて、ピックアップされた各々の動画シーンセグメントメディア４３を一つまたは複数の自作のメディアとして構成する。
または、メディアピックアップモジュール３０は動画シーンセグメントメディア４３、または動画シーンセグメントメディア４３で構成されるメディアフレーム４１１グループを、使用者の需要に符合する再生メディアとして構成する。
【００４５】
この方法は、メディアピックアップモジュール３０により、各々のピックアップ要求条件５１１のデータの依存関係性、またはデータ属性の種別に基づいて、各々のピックアップ要求条件５１１が対応する各々の動画シーンセグメントメディア４３をメディア再生ツリー構造として構成する（ステップＳ１４０）ことをさらに含む。
【００４６】
図１３ないし図１７に示す本発明の実施例におけるメディア操作の状況概略図を参照する。ここでは、メディアデータ４１をバスケットボールの試合の録画映像として説明する。
【００４７】
図１３は本発明の実施例における動画シーン指定情報の概略図であり、バスケットボールの試合の画像の動画シーン説明および動画シーンの対応する時間を示している。
【００４８】
使用者が「第３試合の得点場面」のみを見たい場合、この要求条件を案内データ５１中に設定する。メディアピックアップモジュール３０は第３試合の残り時間「１１：３９」、「１０：５０」、「１０：４９」、「０９：３９」、「０９：１６」、「０８：５８」、「０８：４４」、「０８：２９」、「０８：０７」、「０７：４７」、「０７：３５」などと「第３試合の得点シーン」の対応する時点を取り出し、これら時点の前後またはそれを中心とし、前記した動画シーン区間４２１とする。次にこれら動画シーン区間４２１で、対応する動画シーンクリップ画像（つまり前記した動画シーンセグメントメディア４３）をピックアップすることで、関連する再生モジュールでの再生に供する。
または、使用者が設定した要求条件が「第３試合のスリーポイント得点場面」であった場合には、メディアピックアップモジュール３０はつまり第３試合の残り時間「１１：３９」、「０９：１６」、「０８：５８」、「０７：４７」などと「第３試合のスリーポイント得点シーン」の対応する時点を取り出して、さらにこれら動画シーン区間４２１で、対応する動画シーンクリップ画像（つまり前記した動画シーンセグメントメディア４３）をピックアップすることで、関連する再生モジュールでの再生に供する。
【００４９】
図１４には本発明の実施例におけるメディア階層の概略図が示されている。バスケットボールの試合の録画映像は異なる画像階層に分割することができる。階層が最も高いものは、試合全体の録画映像であり、その次が各々のピリオドの録画映像であり、その次がハイライト場面の録画映像である。
全体映像は数多くのメディアフレーム４１１および／または動画シーンセグメントメディア４３から構成され、しかも動画シーン記述情報４２に対応している。しかしながら、各々の階層はメディア分割モードの根拠と見なすことができる。
【００５０】
図１５には本発明の実施例における動画シーンセグメントメディア再生の概略図が示されている。ここでは第３層のメディア分割モードを例としており、選択される動画シーンセグメントメディア４３はクリップＰ１、Ｐ３およびＰ５である。関連する再生ソフトウェア、プログラムまたはモジュールがクリップＰ１を再生した後、クリップＰ３の開始点にスキップして再生を始める。同じく、再生ソフトウェア、プログラムまたはモジュールがクリップＰ３を再生し終えた後、Ｐ５の開始点にスキップして再生し始める。
メディアの早送り（Ｆｏｒｗａｒｄ）を実行すると、関連する再生ソフトウェアもクリップを単位として、クリップごとに早送りを行うか、または例えばクリップＰ１からクリップＰ５まで早送りをするという具合にクリップを直接指定して早送りを行う。
反対に、巻き戻し（Ｒｅｗｉｎｄ）操作時には、つまりクリップＰ５からクリップＰ３にまで巻き戻して、さらにクリップＰ３からクリップＰ１にまで巻き戻す。または、例えばクリップＰ５からクリップＰ１まで巻き戻す、または動画の開始点にまで巻き戻すという具合に、関連する再生ソフトウェアがクリップを直接指定して巻き戻しを行う。
【００５１】
図１６には本発明の実施例におけるメディア再生ツリー構造の概略図が示されている。ここでは、図１３に示す画像階層を、前記した案内データ５１のデータの依存関係性、またはデータ属性の種別に合わせて、録画映像全体のメディアフレーム４１１または動画シーン記述情報４２がメディア再生ツリー構造として構成することができる。
【００５２】
このメディア再生ツリー構造は第１層が試合全体の映像である。第２層は第１層の映像の下位画像であり、各々のチームの映像である。第３層は第２層の映像の下位画像であり、試合中におけるチーム双方のハイライト部分の録画映像である。第４層は第３層の下位画像であり、試合中におけるチーム双方の特定選手のハイライト場面の映像である。
【００５３】
使用者が案内データ５１を設定した後、メディアピックアップモジュール３０は案内データ５１に含まれる要求条件に基づいて、メディア再生ツリー構造により、メディアデータ４１中における所望のメディアフレーム４１１をピックアップして取り出すことで、関連する再生モジュールで再生を行うべく前記した自作の映像を形成する。
【００５４】
しかしながら、メディアピックアップモジュール３０がピックアップして取り出したメディアフレーム４１１は上記した画像階層を考慮しなければならないということはない。
例えば、使用者が「Ａチームのゼッケン２番の選手のすべての得点場面」を鑑賞した後、「第４ピリオドの全体映像」を鑑賞したい場合、メディアピックアップモジュール３０はメディア再生ツリー構造の第４層構造に基づいて、「Ａチームのゼッケン２番の選手のすべての得点場面」が対応するメディアフレーム４１１または動画シーン記述情報４２を取り出す。そしてメディア再生ツリー構造の第２層構造に基づいて、「第４ピリオドの全体映像」が対応するメディアフレーム４１１または動画シーン記述情報４２を取り出して、前記したメディアピックアップ方式で、関連する再生モジュールで再生を行うべく使用者が要求する自作の映像を形成する。
つまり、メディアピックアップモジュール３０はメディア再生ツリー構造から同一、相違または一部が同一および一部が異なる階層の動画シーンセグメントメディアをピックアップするとともに、これを整合して動画シーンクリップの再生を行う。
【００５５】
上記をまとめるに、本発明が課題解決するに採用した技術的手段の実施方式または実施例を記載したに過ぎず、これにより本発明の特許実施の範囲を限定するためのものではない。
本発明の特許請求の範囲の文意に合致する、または本発明の特許請求の範囲に基づいてなされる等価の変化および付加は、いずれも本発明の特許請求の範囲に含まれるものである。
【符号の説明】
【００５６】
１０ａ  メディア提供モジュール
１０ｂ  メディア提供モジュール
１０ｃ  メディア提供モジュール
１０ｄ  メディア提供モジュール    
１１    データ受信ユニット
１２    データ処理ユニット
１３    キャッシュユニット
１４    データベース
２０    入力モジュール
３０    メディアピックアップモジュール
４１    メディアデータ
４１１  メディアフレーム
４２    動画シーン記述情報
４２１  動画シーン区間
４３    動画シーンセグメントメディア
４４    動画シーン記述情報リスト
５１    案内データ
５１１  ピックアップ要求条件
６０    外部装置
７０    動画シーンサーバ装置
８０    記憶モジュール
【図１】
2014064263.tif 000003
【図２】
2014064263.tif 000004
【図３】
2014064263.tif 000005
【図４】
2014064263.tif 000006
【図５】
2014064263.tif 000007
【図６】
2014064263.tif 000008
【図７】
2014064263.tif 000009
【図８】
2014064263.tif 000010
【図９】
2014064263.tif 000011
【図１０】
2014064263.tif 000012
【図１１】
2014064263.tif 000013
【図１２】
2014064263.tif 000014
【図１３】
2014064263.tif 000015
【図１４】
2014064263.tif 000016
【図１５】
2014064263.tif 000017
【図１６】
2014064263.tif 000018